(57)【要約】【課題】回転刃方式のペーパー切断機構を備えたペーパーホルダー装置において、ペーパー切断機構の安全性と切断性の両立を図る。【解決手段】ペーパー切断機構７を、回転刃７１を備えホルダー本体部２側に取付けられた回転刃ユニット７Ａと、固定刃８３を備え開閉カバー４側に取付けられる固定刃ユニット７Ｂで構成し、開閉カバー４の開状態では固定刃８３の刃先８３ａが支持ブラケット８０側に収納され、開閉カバー４の閉状態では固定刃８３の刃先８３ａが支持ブラケット８０から突出して回転刃７１の刃先７１ａに接触し得るように構成する。係る構成によれば、固定刃８３の刃先８３ａ部分に作業者の手が触れることが未然に且つ確実に防止され、安全性の高いペーパーホルダー装置を提供できる。【選択図】図３
2012055638.tif 000002
【特許請求の範囲】
【請求項１】
ホルダー本体部（２）と該ホルダー本体部（２）に開閉可能に取付けられた開閉カバー（４）で囲まれた保持空間内に巻き戻し可能にペーパーロール（１０）を保持し、該ペーパーロール（１０）から送り出されるペーパー（１０ａ）をペーパー切断機構（７）によって所定長さに切断するようにしたペーパーホルダー装置であって、
上記ペーパー切断機構（７）が、所定のシャー角をもって回転する回転刃（７１）を備え上記ホルダー本体部（２）側に取付けられた回転刃ユニット（７Ａ）と、板状の固定刃（８３）を備え上記開閉カバー（４）側に取付けられた固定刃ユニット（７Ｂ）を備えるとともに、
上記固定刃（８３）は、上記開閉カバー（４）が開状態にあるときには少なくともその刃先（８３ａ）が該固定刃（８３）を支持する支持ブラケット（８０）側に収納され、上記開閉カバー（４）が閉状態にあるときにはその刃先（８３ａ）が上記支持ブラケット（８０）から突出して上記回転刃ユニット（７Ａ）の上記回転刃（７１）の刃先（７１ａ）に接触し得るように構成されていることを特徴とするペーパーホルダー装置。
【請求項２】
請求項１において、
上記固定刃（８３）は、その両端に設けた支軸（８４）によって上記支持ブラケット（８０）に枢支されるとともに、上記支軸（８４）に揺回動可能に取付けられた揺動レバー（８８）に対しては該揺動レバー（８８）との相対回動位置が常時一定となるように第１の付勢手段（８５）によって弾圧付勢される一方、
上記揺動レバー（８８）は、第２の付勢手段（８７）によって常時上記固定刃（８３）を収納させる方向に付勢されており、上記開閉カバー（４）が開状態から閉状態へ変化するときに上記揺動レバー（８８）が上記回転刃ユニット（７Ａ）側に設けたストッパー（７８）との係合によって上記第２の付勢手段（８７）の付勢力に抗して上記固定刃（８３）を突出させるように構成されていることを特徴とするペーパーホルダー装置。
【請求項３】
請求項１又は２において、
上記固定刃ユニット（７Ｂ）は、上記開閉カバー（４）に対して、第３の付勢手段（４２）により該開閉カバー（４）に接離する方向へ移動可能に弾性支持されていることを特徴とするペーパーホルダー装置。
【請求項４】
請求項１、２又は３において、
上記回転刃ユニット（７Ａ）は、上記回転刃（７１）の刃先円に略合致する外周面（７７ａ）をもつガイド輪（７７）を備え、上記開閉カバー（４）の閉状態では上記ガイド輪（７７）の外周面（７７ａ）に上記固定刃（８３）の刃先（８３ａ）が接触することで該刃先（８３ａ）の突出量が常時一定に保持されるように構成されていることを特徴とするペーパーホルダー装置。
【請求項５】
ホルダー本体部（２）と該ホルダー本体部（２）に開閉可能に取付けられた開閉カバー（４）で囲まれた保持空間内に巻き戻し可能にペーパーロール（１０）を保持し、該ペーパーロール（１０）から送り出されるペーパー（１０ａ）をペーパー切断機構（７）によって所定長さに切断するようにしたペーパーホルダー装置であって、
上記ペーパー切断機構（７）が、所定のシャー角をもって回転する回転刃（７１）を備え上記ホルダー本体部（２）側に取付けられた回転刃ユニット（７Ａ）と、板状の固定刃（８３）を備え上記開閉カバー（４）側に取付けられた固定刃ユニット（７Ｂ）を備えるとともに、
上記回転刃ユニット（７Ａ）は、上記回転刃（７１）の回転方向における特定位置を基準とし、該回転刃（７１）が上記特定位置から回転を開始し、一回転後に上記特定位置で停止するように構成されるとともに、上記回転刃（７１）の背面側に該回転刃（７１）を背面側から覆うプロテクター（７６）を備え、上記回転刃（７１）の上記特定位置での停止状態においては上記プロテクター（７６）によって上記回転刃（７１）の外部露出を阻止するように構成されていることを特徴とするペーパーホルダー装置。
【発明の詳細な説明】
【技術分野】
【０００１】
本願発明は、ペーパーロールを保持し、該ペーパーロールからのペーパーの送り出し、折畳み及び切断を、使用者の要求に応じて自動的に行い得るようにしたペーパーホルダー装置に関し、さらに詳しくは該ペーパーホルダー装置におけるペーパー切断機構に関するものである。
【背景技術】
【０００２】
ペーパーホルダー装置におけるペーパー切断機構は、二枚の板状の刃を相対的に直線移動させてペーパーを切断する直線刃方式（例えば、特許文献１参照）と、板状の固定刃と揺動変位する可動刃を備え、該可動刃の揺動によって固定刃との間でペーパーを切断する揺動刃方式（例えば、特許文献２参照）と、板状の固定刃と所定のシャー角をもって回転する回転刃を回転方向に接触させてペーパーを切断する回転刃方式（例えば、特許文献３参照）に大別される。
【０００３】
これら各方式のうち、回転刃方式は可動領域が小さく切断機構をコンパクトに構成できることから、限られたスペース内へのレイアウト性が要求されるペーパーホルダー装置のペーパー切断機構として主流となりつつある。
【先行技術文献】
【特許文献】
【０００４】
【特許文献１】特開２０００−２８７８７２号公報
【特許文献２】特開平７−２４６５９２号公報
【特許文献３】特開２００３−７２９９８号公報
【発明の概要】
【発明が解決しようとする課題】
【０００５】
ところで、ペーパーホルダー装置においては、ペーパーロールが保持されるホルダー本体部と、該ホルダー本体部の上面から前面に至る部分を覆い且つ必要に応じて（例えば、ペーパーロールの補給時、内部機構のメンテナンス時に）開閉される開閉カバーを備えるのが一般的である。そして、回転刃方式のペーパー切断機構においては、駆動機構が併設される回転刃はスペース的に余裕のあるホルダー本体部に、駆動機構を要しない固定刃は開閉カバーに、それぞれ配置し、上記開閉カバーを閉じた状態（即ち、ペーパーホルダー装置の使用時形態）において回転刃と固定刃が該回転刃の回転に伴って接触するように構成される。
【０００６】
ところが、このような回転刃方式のペーパー切断機構では、上記開閉カバーの開状態、即ち、ペーパーロールの補給作業時とか内部機構のメンテナンス作業時には、上記回転刃は上記ホルダー本体部側において、上記固定刃は上記開閉カバー側において、それぞれ外部に露出していることから、上記作業時に誤って作業者の手が回転刃とか固定刃に触れる可能性があり、操作の安全性の確保という点において改善の余地が有る。
【０００７】
また、回転刃方式のペーパー切断機構では、固定刃の刃先に対して回転刃の刃先が所定のシャー角を保持した状態で且つ最適な接触圧で接触することが必須であって、この接触性が損なわれた場合には所要の切断性能が得られないことになる。例えば、接触圧が過小であると、切断されない部分が生じ、極端な場合には全く切断できないということも起こり得る。また、接触圧が過大であると、回転刃の回転方向最前端の刃先部分が固定刃の刃先に接触する際の衝撃が大きく使用者に不安感を与える恐れがあるとともに、刃先の摩耗が大きくその耐久性が低下する等の問題の発生が懸念される。
【０００８】
そこで本願発明は、回転刃方式のペーパー切断機構を備えたペーパーホルダー装置において、ペーパー切断機構の安全性を高めるとともに、良好な切断性を確保することを目的としてなされたものである。
【課題を解決するための手段】
【０００９】
本願発明ではかかる課題を解決するための具体的手段として次のような構成を採用している。
【００１０】
本願の第１の発明では、ホルダー本体部２と該ホルダー本体部２に開閉可能に取付けられた開閉カバー４で囲まれた保持空間内に巻き戻し可能にペーパーロール１０を保持し、該ペーパーロール１０から送り出されるペーパー１０ａをペーパー切断機構７によって所定長さに切断するようにしたペーパーホルダー装置において、上記ペーパー切断機構７を、所定のシャー角をもって回転する回転刃７１を備え上記ホルダー本体部２側に取付けられた回転刃ユニット７Ａと、板状の固定刃８３を備え上記開閉カバー４側に取付けられた固定刃ユニット７Ｂを備えて構成するとともに、上記固定刃８を、上記開閉カバー４が開状態にあるときには少なくともその刃先８３ａが該固定刃８３を支持する支持ブラケット８０側に収納され、上記開閉カバー４が閉状態にあるときにはその刃先８３ａが上記支持ブラケット８０から突出して上記回転刃ユニット７Ａの上記回転刃７１の刃先７１ａに接触し得るように構成したことを特徴としている。
【００１１】
本願の第２の発明では、上記第１の発明に係るペーパーホルダー装置において、上記固定刃８３を、その両端に設けた支軸８４によって上記支持ブラケット８０に枢支させるとともに、上記支軸８４に揺回動可能に取付けられた揺動レバー８８に対しては該揺動レバー８８との相対回動位置が常時一定となるように第１の付勢手段８５によって弾圧付勢する一方、上記揺動レバー８８を、第２の付勢手段８７によって常時上記固定刃８３を収納させる方向に付勢し、上記開閉カバー４が開状態から閉状態へ変化するときに上記揺動レバー８８が上記回転刃ユニット７Ａ側に設けたストッパー７８との係合によって上記第２の付勢手段８７の付勢力に抗して上記固定刃８３を突出させるように構成したことを特徴としている。
【００１２】
本願の第３の発明では、上記第１又は第２の発明に係るペーパーホルダー装置において、上記固定刃ユニット７Ｂを、上記開閉カバー４に対して、第３の付勢手段４２により該開閉カバー４に接離する方向へ移動可能に弾性支持したことを特徴としている。
【００１３】
本願の第４の発明では、上記第１、第２又は第３の発明に係るペーパーホルダー装置において、上記回転刃ユニット７Ａを、上記回転刃７１の刃先円に略合致する外周面７７ａをもつガイド輪７７を備え、上記開閉カバー４の閉状態では上記ガイド輪７７の外周面７７ａに上記固定刃８３の刃先８３ａが接触することで該刃先８３ａの突出量が常時一定に保持されるように構成したことを特徴としている。
【００１４】
本願の第５の発明では、ホルダー本体部２と該ホルダー本体部２に開閉可能に取付けられた開閉カバー４で囲まれた保持空間内に巻き戻し可能にペーパーロール１０を保持し、該ペーパーロール１０から送り出されるペーパー１０ａをペーパー切断機構７によって所定長さに切断するようにしたペーパーホルダー装置において、上記ペーパー切断機構７を、所定のシャー角をもって回転する回転刃７１を備え上記ホルダー本体部２側に取付けられた回転刃ユニット７Ａと、板状の固定刃８３を備え上記開閉カバー４側に取付けられた固定刃ユニット７Ｂを備えて構成するとともに、上記回転刃ユニット７Ａを、上記回転刃７１の回転方向における特定位置を基準とし、該回転刃７１が上記特定位置から回転を開始し、一回転後に上記特定位置で停止するように構成するとともに、上記回転刃７１の背面側に該回転刃７１を背面側から覆うプロテクター７６を備え、上記回転刃７１の上記特定位置での停止状態においては上記プロテクター７６によって上記回転刃７１の外部露出を阻止するように構成したことを特徴としている。
【発明の効果】
【００１５】
本願発明では次のような効果が得られる。
【００１６】
（ａ）本願の第１の発明に係るペーパーホルダー装置によれば、上記開閉カバー４が開状態にあるとき、即ち、ペーパーロールの補給作業時とか内部機構のメンテナンス作業時には、上記固定刃８３の少なくとも刃先８３ａが支持ブラケット８０側に収納されるため、該刃先８３ａ部分に作業者の手が触れることが未然に且つ確実に防止され、上記作業時における安全性が確保され、延いては安全性の高いペーパーホルダー装置を提供することができる。また、上記開閉カバー４が閉状態にあるとき、即ち、ペーパーホルダー装置の使用時には、上記固定刃８３の刃先８３ａが上記支持ブラケット８０から突出して上記回転刃７１の刃先７１ａに接触することで、ペーパー１０ａを的確に切断することができ、高い切断性能が確保される。
【００１７】
（ｂ）  本願の第２の発明に係るペーパーホルダー装置によれば、上記（ａ）に記載の効果に加えて以下のような特有の効果が得られる。即ち、この発明のペーパーホルダー装置では、上記固定刃８３を、その両端に設けた支軸８４によって上記支持ブラケット８０に枢支させるとともに、上記支軸８４に揺回動可能に取付けられた揺動レバー８８に対しては該揺動レバー８８との相対回動位置が常時一定となるように第１の付勢手段８５によって弾圧付勢する一方、上記揺動レバー８８を、第２の付勢手段８７によって常時上記固定刃８３を収納させる方向に付勢し、上記開閉カバー４が開状態から閉状態へ変化するときに上記揺動レバー８８が上記回転刃ユニット７Ａ側に設けたストッパー７８との係合によって上記第２の付勢手段８７の付勢力に抗して上記固定刃８３を突出させるように構成しているので、
（ｂ−１）上記開閉カバー４の開状態では、上記揺動レバー８８は上記第２の付勢手段８７の付勢力によって上記固定刃８３を収納位置に位置決めした状態で保持されており、該開閉カバー４の開状態において上記固定刃８３が不用意に突出することが確実に防止され、該開閉カバー４を開いた状態でのペーパーロールの補給作業等の作業時における安全性の確保がより一層確実となる、
（ｂ−２）上記開閉カバー４の閉状態においては、上記揺動レバー８８が、上記第２付勢手段８７の付勢力に抗して、上記固定刃８３を突出位置に位置決めした状態で保持されているが、この場合、上記固定刃８３は上記第１付勢手段８５の付勢力によって上記揺動レバー８８との相対回動位置が常時一定となるように付勢されているので、例えば、何らかの原因で上記固定刃８３の刃先８３ａとこれに接触する上記回転刃７１の刃先７１ａの間の接触圧が過大となったような場合には、上記第１付勢手段８５の付勢力に抗して上記固定刃８３が収納側へ変位し、これによって適正な接触圧が回復され、ペーパー切断機構７における切断性能が良好状態に維持される、
等の効果が得られる。
【００１８】
（ｃ）  本願の第３の発明に係るペーパーホルダー装置によれば、上記（ａ）又は（ｂ）に記載の効果に加えて以下のような特有の効果が得られる。即ち、この発明のペーパーホルダー装置では、上記固定刃ユニット７Ｂを、上記開閉カバー４に対して、第３の付勢手段４２により該開閉カバー４に接離する方向へ移動可能に弾性支持しているので、
（ｃ−１）上記開閉カバー４を開いてペーパーロールの補給作業等の作業を行っている場合において誤って作業者の手が固定刃ユニット７Ｂ側に触れたときには、該固定刃ユニット７Ｂが上記開閉カバー４に対して弾性的に相対変位することで作業者の手への衝撃が緩和され、作業時の安全性がさらに高められる、
（ｃ−２）上記開閉カバー４を閉じた使用状態において、上記固定刃８３の刃先８３ａと上記回転刃７１の刃先７１ａの間の接触圧が何らかの原因によって過大となり、且つこの過大な接触圧を上記第１付勢手段８５の弾性変位のみでは解消仕切れなかったような場合には、上記固定刃ユニット７Ｂ全体が上記開閉カバー４側へ弾性的に相対変位することで過大な接触圧の負荷状態が解消され、これによって良好な切断性能が回復される、
等の効果が得られる。
【００１９】
（ｄ）  本願の第４の発明に係るペーパーホルダー装置によれば、上記（ａ）、（ｂ）又は（ｃ）に記載の効果に加えて以下のような特有の効果が得られる。即ち、この発明のペーパーホルダー装置では、上記回転刃ユニット７Ａを、上記回転刃７１の刃先円に略合致する外周面７７ａをもつガイド輪７７を備え、上記開閉カバー４の閉状態では上記ガイド輪７７の外周面７７ａに上記固定刃８３の刃先８３ａが接触することで該刃先８３ａの突出量が常時一定に保持されるように構成しているので、該固定刃８３の刃先８３ａと上記回転刃７１の刃先７１ａとの衝突が未然に且つ確実に防止され、これら両者は常時適正な接触圧で接触することとなり、これによって切断性能が長期に亘って良好に維持されるとともに、上記固定刃８３及び回転刃７１の耐久性が高められる。
【００２０】
（ｅ）  本願の第５の発明に係るペーパーホルダー装置によれば、上記開閉カバー４が開状態にあるとき、即ち、ペーパーロールの補給作業時とか内部機構のメンテナンス作業時には、上記回転刃ユニット７Ａが外部に露出しているが、上記回転刃７１は上記プロテクター７６によって外部露出が阻止されているので、上記作業中において作業者の手が上記プロテクター７６に触れたとしても、上記回転刃７１には触れることがなく、該作業における安全性が確保され、延いては安全性の高いペーパーホルダー装置を提供することができる。
【図面の簡単な説明】
【００２１】
【図１】本願発明の実施の形態に係るペーパーホルダー装置の使用状態における外観斜視図である。
【図２】図１に示したペーパーホルダー装置において開閉カバーを開いた状態の外観斜視図である。
【図３】図１に示したペーパーホルダー装置において、一方の側部カバーを取り除いた状態における内部構成を示す斜視図である。
【図４】図１のＩＶ−ＩＶ断面図である。
【図５】回転刃ユニットの回転刃収納状態における斜視図である。
【図６】図５のＶＩ矢視図である。
【図７】回転刃ユニットの回転刃露出状態における斜視図である。
【図８】図７のＶＩＩＩ矢視図である。
【図９】図５の斜視図において視点位置を変更した場合の斜視図である。
【図１０】固定刃ユニットの固定刃収納状態における斜視図である。
【図１１】図１０のＸＩ−ＸＩ断面図である。
【図１２】固定刃ユニットの固定刃突出状態における斜視図である。
【図１３】図１２のＸＩＩＩ−ＸＩＩＩ断面図である。
【図１４】回転刃ユニットと固定刃ユニットの位置決め状態説明図である。
【発明を実施するための形態】
【００２２】
以下、本願発明を好適な実施形態に基づいて具体的に説明する。
【００２３】
図１〜図４には、本願発明の実施形態に係るペーパーホルダー装置１が示されている。このペーパーホルダー装置１は、例えば、トイレの壁面に取付けられ、その内部にトイレットペーパーを巻回して成るペーパーロール１０を保持し、使用者の必要に応じて該ペーパーロール１０からペーパー１０ａを所定長さだけ送り出し、これをジグザグ状に折り畳むとともに、この折り畳まれたペーパー１ａを上記ペーパーロール１０寄り位置で切断して使用に供するものであって、上記ペーパー１０ａの送り出しから切断までの一連の動作が自動的に行われるように構成されている。係る自動動作によって、使用者が手でペーパー１０ａを引き出し、これを折り畳んで切り取る、というような手間が省け、特に高齢者にとっては好適なものとなる。
【００２４】
このような一連の動作を自動的に行う上記ペーパーホルダー装置１は、次述するホルダー本体部２と、該ホルダー本体部２の下部に配置されたペーパー受部３と、上記ホルダー本体部２の前面から上面に至る部位を必要に応じて開閉蓋する開閉カバー４を備えて構成される。以下、これら各部の構成を具体的に説明する。
【００２５】
「ホルダー本体部２」
上記ホルダー本体部２は、図１〜図４に示すように、左右一対の側壁２１，２１と背面壁２３を備えるとともに、該各側壁２１，２１の外側をそれぞれ側部カバー２２，２２で覆って構成される。また、このホルダー本体部２の前面及び上面は連続した開口部とされており、この開口部には次述の開閉カバー４が取付けられる。さらに、上記ホルダー本体部２の底面側も開口され、ここには後述のペーパー受部３が配置されている。
【００２６】
そして、上記ホルダー本体部２の内室２０（即ち、上記左右一対の側壁２１，２１と、背面壁２３と、上記ペーパー受部３と上記開閉カバー４で囲まれた空間部）には、次述のペーパー支持機構５とペーパー送り機構６とペーパー切断機構７及びペーパー折畳機構８が配置されている。
【００２７】
「ペーパー支持機構５」
上記ペーパー支持機構５は、ペーパーロール１０をその下側から巻き戻し可能に支持するものであって、上記内室２０の下部位置において上記左右一対の側壁２１，２１に跨って回転自在に支承された前後一対の支持ロール１１，１１を主体部として構成されるが、さらに上記支持ロール１１，１１に支持されたペーパーロール１０の前後方向への揺動を規制する付帯部として、上記ホルダー本体部２の背面壁２３の前面側に付設された湾曲板状のロールガイド１５と、後述するペーパー切断機構７の回転刃ユニット７Ａ側に付設された湾曲板材１６を備えている。
【００２８】
「ペーパー送り機構６」
上記ペーパー送り機構６は、図３及び図４に示すように、上記ホルダー本体部２の内室２０の前側上部において、上記左右一対の側壁２１，２１間に跨って上下方向に接近配置された上側の駆動ロール５１と下側の従動ロール５２、及び上記開閉カバー４のコーナ部近傍に横設配置された押えロール５３を備えて構成される。上記駆動ロール５１は、上記ホルダー本体部２の一方の側壁２１の外側に配置された駆動機構（図示省略）によって回転駆動される。上記従動ロール５２は、ベルト５４によって上記駆動ロール５１から回転力を受けて該駆動ロール５１と一体的に且つ同一方向へ回転される。上記押えロール５３は、図４に示すように、上記開閉カバー４の閉状態において上記駆動ロール５１に押圧接触され、該駆動ロール５１からの回転力を受けて該駆動ロール５１とは反対方向へ回転される。
【００２９】
従って、上記開閉カバー４を開いた状態において、上記ペーパー支持機構５の上記支持ロール１１，１１に支持されたペーパーロール１０から引き出したペーパー１０ａを上記駆動ロール５１及び従動ロール５２の外側を通して下方へ引き出し（図２、図４参照）、この状態で上記開閉カバー４を閉じて上記押えロール５３を上記駆動ロール５１に押圧接触させることで、該ペーパー１０ａは上記駆動ロール５１と押えロール５３の間に挟持される（ペーパー１０ａのセット状態）。このセット状態から、上記駆動ロール５１が回転されると、上記ペーパー１０ａは該駆動ロール５１と押えロール５３によって順次下方へ送り出されることになる。なお、上記従動ロール５２は、上記駆動ロール５１と押えロール５３によって送り出されるペーパー１０ａの揺れを抑えるものである。
【００３０】
このペーパー１０ａは、一回の操作によって所定長さだけ送り出される。具体的には、使用者が、上記ホルダー本体部２の一方の側部カバー２２の上面に設けた動体感知センサ９部分に手を近づけると、この手の動きを動体感知センサ９が感知して駆動モータ（図示省略）を所定時間だけ回転させるように構成される。また、このペーパー送り機構６と次述するペーパー切断機構７は同じ駆動機構によって駆動されるが、この駆動機構は上記ホルダー本体部２の側部カバー２２に設けた接近センサ１２によって上記開閉カバー４が閉状態にあることが検知されることを作動条件としており、該開閉カバー４の閉状態が検知されていない限り、たとえ上記動体感知センサ９が動体を感知したとしても駆動機構は作動しない。これによって、上記開閉カバー４の開状態時、即ち、ペーパーロール１０の補給作業時とか内部機構のメンテナンス作業時において、不用意にペーパー送り機構６とかペーパー切断機構７が作動するということが確実に防止され、ペーパーホルダー装置１の使用上における安全性が確保される。
【００３１】
「ペーパー折畳機構８」
上記ペーパー折畳機構８は、上記ホルダー本体部２の下端側に取付けられて、上記ペーパー送り機構６から送り出されるペーパー１０ａをその厚さ方向へ交互に折り畳んで使用に供させるものであって、図１〜図４示すように、手前側から奥側へ下降傾斜する平坦な底壁３１と、該底壁３１の周囲を囲むとともに前面側においては所定幅でその上端から上記底壁３１向けて切り込まれた切込部３４が設けられた周壁３３を備えて成るペーパー受部３で構成される。なお、上記周壁３３の切込部３４に対応して、上記底壁３１の前端部分も切り込まれており、これら周壁３３から底壁３１に掛けて連続した切込部分が、折り畳まれたペーパー１０ａを掴んで取り出す際の取出し口となる。
【００３２】
また、上記ペーパー受部３の奥側には、ペーパー１０ａの折畳幅を規定する規定板３５が配置される。この規定板３５は、上記周壁３３側に設けた調整部３６の複数の嵌合溝３７の何れかに選択的に嵌合されることで、ペーパー１０ａの折畳幅を増減設定できるようになっている。
【００３３】
「ペーパー切断機構７」
上記ペーパー切断機構７は、図４に示すように、回転刃ユニット７Ａと固定刃ユニット７Ｂを備えて構成される。
【００３４】
「回転刃ユニット７Ａ」
上記回転刃ユニット７Ａは、図５〜図９に示すように、支持ブラケット７０に回転部６９を組み付けて構成される。
【００３５】
上記支持ブラケット７０は、略Ｓ字形の湾曲断面形状をもつ横長の湾曲板材１６と、該湾曲板材１６の湾曲方向中段の左右両端部において該湾曲板材１６の凸面側へ延出する延設部７２を備えて構成される。また、上記湾曲板材１６の上端部１６ａは上記延設部７２の延出側へ湾曲させて該延設部７２と上下方向に離間対向するようにしている。従って、上記支持ブラケット７０には、上記延設部７２と上記湾曲板材１６の上端部１６ａの間に所要の空間が形成される。そして、この空間部分に後述の回転部６９が収納配置される。
【００３６】
さらに、左右一対の上記延設部７２、７２には、上方へ突出する楔状形体をもつ突起７３がそれぞれ形成されている。また、上記湾曲板材１６の上端部１６ａの左右両端部には、上下方向に延びる受け溝７９が形成されている。さらに、図９に示すように、一方の延設部７２の側部には、手前側に向かって下降傾斜する面で構成されるストッパー７８が設けられている。
【００３７】
上記回転部６９は、丸棒体の外周面の一部をその軸方向の全長に亘って略Ｌ形に切落した異形棒体でなり（図１４参照）且つその両端にはそれぞれ軸方向外方へ延出する支軸７５が設けられた刃ホルダー７４を備えて構成される。この刃ホルダー７４の円弧状の外周面をもつ部分（即ち、非切落し部分）には、帯板状の回転刃７１が、上記回転部６９の回転に伴って所定のシャー角をもつように、その一端側と他端側との間に所定の回転位相が確保された状態で取付けられている。なお、この回転刃７１は、その刃先７１ａの回転軌跡円が、該回転刃７１の軸方向の何れの位置においても一致するようにその取付状態が設定されることは言うまでもない。
【００３８】
また、上記刃ホルダー７４の一端側には、円形リング状のガイド輪７７が該刃ホルダー７４と同軸上に取付けられている。このガイド輪７７の外周面は、上記回転刃７１の刃先７１ａの回転軌跡円に合致するように設定されている。
【００３９】
さらに、上記刃ホルダー７４の略Ｌ形の切落し面の部分には、略Ｔ形の断面形状をもつプロテクター７６が取付けられており、上記回転刃７１は上記刃ホルダー７４の軸心位置を挟んで上記プロテクター７６の反対側に位置している。従って、上記回転刃７１は、上記プロテクター７６側から見た場合、常に該プロテクター７６の背面側に位置し、図６に示すように、上記プロテクター７６が前面に臨んだ回転位置では、該プロテクター７６に覆われて外部への露出が阻止された状態となる。
【００４０】
上記回転部６９の回転方向は、図５及び図６に示すように、上記回転刃７１が該回転部６９の上方側から手前側を通って下方側へ移動するような方向（矢印ｒ方向）に設定されている。そして、この回転部６９は、図示しない駆動機構によって一回転ずつ回転駆動されるが、その回転の開始位置（即ち、停止位置）は、図６に示すように、上記プロテクター７６が上記支持ブラケット７０の手前側において起立し、上記回転刃７１が上記プロテクター７６の背面側で後方に向かって延出した位置とされる。上記回転部６９は、上記停止位置から回転を開始し、図８に示すように上記回転刃７１が上記支持ブラケット７０の手前側を下降移動し、再度図６に示す停止位置に達するまでの一回転だけ回転駆動される。従って、上記停止位置においては、上記回転刃７１は上記プロテクター７６によって外部への露出が阻止されることになる。
【００４１】
なお、この回転部６９の回転駆動は、上記ペーパー送り機構６の送り動作が停止された時点、あるいは停止時点より所定時間だけ早い時点から開始されるが、このペーパー送り機構６の作動と連動した上記回転部６９の回転制御は、上記駆動機構の制御手段（図示省略）によって自動的に行われる。
【００４２】
「固定刃ユニット７Ｂ」
上記固定刃ユニット７Ｂは、上記開閉カバー４側に配置されて、該開閉カバー４の閉状態時、即ち、ペーパーホルダー装置１の使用状態時において、上記回転刃ユニット７Ａの上記回転刃７１と協働してペーパー１０ａを切断するものであって、図１０〜図１３に示すように、支持ブラケット８０に固定刃８３を取付けて構成される。
【００４３】
上記支持ブラケット８０は、横長湾曲板状で且つその湾曲方向略中央に横長の開口９３を設けた湾曲板部８１ａと該湾曲板部８１ａの上端から上方へ立ち上がる平板状のガイド板部８１ｂからなる本体部８１と、上記湾曲板部８１ａの左右両端部において手前側へ延出する縦壁部８２、８２を備えて構成される。また、上記湾曲板部８１ａの内面上部には、上記ガイド板部８１ｂの下端位置から背面側へ向けて凹入する凹部９５が形成されている。
【００４４】
さらに、上記支持ブラケット８０の上記各縦壁部８２、８２の底面には、上方へ向かって切り込む嵌合溝９０がそれぞれ形成されるとともに、上記各縦壁部８２の上端部には、下方へ向かう楔状のガイド突起８９がそれぞれ設けられている。
【００４５】
上記固定刃８３は、所定長さの帯板材で一体形成されるものであって、一の稜線部分に刃先８３ａを設けている。この固定刃８３の長さ方向両端部にはそれぞれ支軸８４が軸方向外方へ向けて突設されており、該固定刃８３はこれら各支軸８４を上記支持ブラケット８０の上記各縦壁部８２、８２に回転自在に枢支させることで該支持ブラケット８０側に取付けられる。
【００４６】
また、上記固定刃８３の一方の支軸８４には、揺動レバー８８が回動自在に取付けられている。そして、上記固定刃８３は、上記支軸８４に取付けられたバネ８５（特許請求の範囲の「第１の付勢手段」に該当する）の付勢力によって、該固定刃８３の刃先８３ａ側の側面が上記揺動レバー８８に設けたストッパー９１に当接するように付勢されることで、該刃先８３ａが上記凹部９５側から手前側へ突出す方向における、該揺動レバー８８に対する最大回動位置が規定されている。なお、このストッパー９１との当接によって上記固定刃８３の最大回動位置が規制された状態で、例えば、該固定刃８３の刃先８３ａにこれを奥側へ押し込むような外力が掛かった場合には、上記固定刃８３は上記バネ８５の付勢力に抗して上記凹部９５側へ回動される。
【００４７】
一方、上記揺動レバー８８は、上記枢支点から適宜離間した位置に設けた支軸８６に取付けられたバネ８７（特許請求の範囲中の「第２の付勢手段」に該当する）の付勢力によって、上記固定刃８３を上記支持ブラケット８０の上記凹部９５内に収納させる方向に揺動付勢されている。また、この揺動レバー８８の先端部は、上記開閉カバー４の閉状態においては、上記回転刃ユニット７Ａ側の上記ストッパー７８と係合し、該ストッパー７８側から押し込み方向への外力を受けるようになっている。
【００４８】
従って、図１１に示すように、上記揺動レバー８８の先端側に外力が作用していない状態、即ち、上記開閉カバー４が開状態にあって上記揺動レバー８８の先端側が自由端とされている状態では、上記揺動レバー８８が上記バネ８５によって上記支軸８４を中心として矢印ｂ方向へ回動付勢され、該揺動レバー８８に連結された上記固定刃８３は矢ｄ方向へ回動して上記本体部８１の凹部９５側に収納され、その刃先８３ａは該凹部９５の口縁と略面一とされる。
【００４９】
これに対して、図１３に示すように、上記開閉カバー４が閉状態にあって上記揺動レバー８８の先端部が上記回転刃ユニット７Ａ側のストッパー７８と係合した状態では、上記揺動レバー８８が上記ストッパー７８によって押し込まれて矢印ａ方向に回動し、この揺動レバー８８の回動と共に上記固定刃８３は上記支軸８４回りに矢印ｃ方向へ回動し、上記凹部９５から手前側へ突出し、その刃先８３ａは上記回転刃ユニット７Ａ側の回転刃７１の刃先７１ａに接触し得る状態とされる（図１４参照）。
【００５０】
一方、上述のように構成された上記固定刃ユニット７Ｂは、図１３及び図１４に示すように、上記支持ブラケット８０の背面側に突設した取付ボス９２を上記開閉カバー４の取付部４１にビス４３で固定することで該開閉カバー４側に取付けられるが、この場合、上記取付ボス９２と上記取付部４１との間にはバネ４２（特許請求の範囲中の「第３の付勢手段」に該当する）が介在されており、このバネ４２の弾性変形に対応して上記固定刃ユニット７Ｂは上記開閉カバー４に対して接離方向に相対移動可能とされている。
【００５１】
「回転刃ユニット７Ａと固定刃ユニット７Ｂの位置決め」
上記回転刃ユニット７Ａと固定刃ユニット７Ｂの相対的な位置決めは、図１４に示すとおりである。即ち、上記回転刃ユニット７Ａは上記ホルダー本体部２側に固定されており、該ホルダー本体部２への取付け位置は予め固定的に設定されている。これに対して、上記固定刃ユニット７Ｂは、上記開閉カバー４側に取付けられており、該開閉カバー４側への取付け位置は、上記バネ４２の弾性変形の範囲内で変位可能であり、固定的には設定されていない。従って、上記開閉カバー４を閉じた状態においては、上記回転刃ユニット７Ａと固定刃ユニット７Ｂが適正な相対位置関係に有り且つこれが維持されるようにする必要がある。
【００５２】
このため、この実施形態のペーパーホルダー装置１では、以下のような二つの位置決め手法を採用している。
【００５３】
第１の位置決め手法
上記回転刃ユニット７Ａの支持ブラケット７０の左右一対の延設部７２，７２に上記突起７３を形成する一方、上記固定刃ユニット７Ｂの左右一対の縦壁部８２の下端には上方へ切れ込む嵌合溝９０を形成し、上記開閉カバー４の開状態からの閉作動に際して、上記回転刃ユニット７Ａ側の上記各突起７３、７３に上記固定刃ユニット７Ｂ側の上記各嵌合溝９０を嵌合させることで、上記回転刃ユニット７Ａと固定刃ユニット７Ｂの上下方向及び前後方向の位置決めを行うようにしている。
【００５４】
第２の位置決め手法
上記回転刃ユニット７Ａの上記支持ブラケット７０の左右両端部に受け溝７９をそれぞれ設ける一方、上記固定刃ユニット７Ｂの上記支持ブラケット８０の左右両端部に上記ガイド突起８９をそれぞれ設け、上記開閉カバー４の開状態からの閉作動に際して、上記回転刃ユニット７Ａ側の上記各受け溝７９に上記固定刃ユニット７Ｂ側の上記各ガイド突起８９を嵌合させることで、上記回転刃ユニット７Ａと固定刃ユニット７Ｂの左右方向（横幅方向）の位置決めを行うようにしている。
【００５５】
これら二つの手法による位置決めによって、上記開閉カバー４を閉じた状態、即ち、上記ペーパーホルダー装置１の使用時状態においては、図１４に示すように、上記固定刃８３の刃先８３ａが前方側に突出し、その刃先８３ａは上記回転刃ユニット７Ａ側の上記ガイド輪７７の外周面に接触し、該回転刃７１の刃先７１ａと固定刃８３の刃先８３ａの相対位置が適正に設定される。
【００５６】
「ペーパーホルダー装置１の作動及びその作用効果」
以上のように構成された上記ペーパーホルダー装置１の上記ペーパー切断機構７における作動及び作用効果は以下の通りである。
【００５７】
（イ）この実施形態のペーパーホルダー装置１におけるペーパー切断機構７では、上記開閉カバー４が開状態にあるとき、即ち、上記ペーパーロール１０の補給作業時とか内部機構のメンテナンス作業時のように上記開閉カバー４が開放されて上記内室２０内に人が手を差し入れて所要の作業を行う場合、上記開閉カバー４側、即ち、上記固定刃ユニット７Ｂ側においては、上記固定刃８３が上記支持ブラケット８０側の凹部９５側に収納されるため、該固定刃８３の刃先８３ａ部分に作業者の手が触れることが未然に且つ確実に防止される。また、上記ホルダー本体部２側、即ち、上記回転刃ユニット７Ａ側においては、上記回転刃ユニット７Ａそのものは上記内室２０内に露出しているが、上記回転部６９が停止状態にあって上記回転刃７１は上記プロテクター７６によって外部露出が阻止されているので、上記作業中に作業者の手が上記プロテクター７６に触れることはあっても、上記回転刃７１には触れることは未然に且つ確実に防止される。これら両者の安全機能の相乗効果によって、ペーパーロール１０の補給等の作業時における高い安全性が確保され、安全性に優れたペーパーホルダー装置１を提供することができ、延いては上記ペーパーホルダー装置１の商品価値の向上が期待できる。
【００５８】
（ロ）この実施形態のペーパーホルダー装置１におけるペーパー切断機構７では、上記固定刃８３を、その両端に設けた支軸８４によって上記支持ブラケット８０に枢支させるとともに、上記支軸８４に揺回動可能に取付けられた揺動レバー８８に対しては該揺動レバー８８との相対回動位置が常時一定となるように上記バネ８５によって弾圧付勢する一方、上記揺動レバー８８を、上記バネ８７によって常時上記固定刃８３を収納させる方向に付勢し、上記開閉カバー４が開状態から閉状態へ変化するときに上記揺動レバー８８が上記回転刃ユニット７Ａ側に設けたストッパー７８との係合によって上記バネ８７の付勢力に抗して上記固定刃８３を突出させるように構成しているので、上記開閉カバー４の開状態では、上記揺動レバー８８は上記バネ８７の付勢力によって上記固定刃８３を収納位置に位置決めした状態で保持されており、該開閉カバー４の開状態において上記固定刃８３が不用意に突出することが確実に防止され、その結果、上記開閉カバー４を開いた状態でのペーパーロールの補給作業等の作業時における安全性の確保がより一層確実となる。
【００５９】
また、上記開閉カバー４の閉状態においては、上記揺動レバー８８が、上記バネ８７の付勢力に抗して、上記固定刃８３を突出位置に位置決めした状態で保持されているが、この場合、上記固定刃８３は上記バネ８５の付勢力によって上記揺動レバー８８との相対回動位置が常時一定となるように付勢されているので、例えば、何らかの原因で上記固定刃８３の刃先８３ａとこれに接触する上記回転刃７１の刃先７１ａの間の接触圧が過大となったような場合には、上記バネ８５の付勢力に抗して上記固定刃８３が収納側へ変位し、これによって適正な接触圧が回復され、ペーパー切断機構７における切断性能が良好状態に維持されることになる。
【００６０】
（ハ）この実施形態のペーパーホルダー装置１におけるペーパー切断機構７では、上記固定刃ユニット７Ｂを、上記開閉カバー４に対して、上記バネ４２により該開閉カバー４に接離する方向へ移動可能に弾性支持しているので、例えば、上記開閉カバー４を開いてペーパーロールの補給作業等の作業を行っている場合において誤って作業者の手が固定刃ユニット７Ｂ側に触れたときには、該固定刃ユニット７Ｂが上記開閉カバー４に対して弾性変位することで作業者の手への衝撃が緩和され、作業時の安全性がさらに高められる。
【００６１】
また、上記開閉カバー４を閉じた使用状態において、上記固定刃８３の刃先８３ａと上記回転刃７１の刃先７１ａの間の接触圧が何らかの原因によって過大となり、且つこの過大な接触圧を上記バネ８５の弾性変位のみでは解消仕切れなかったような場合には、上記固定刃ユニット７Ｂ全体が上記開閉カバー４側へ弾性変位することで過大な接触圧の負荷状態が解消され、これによって良好な切断性能が回復される。
【００６２】
これら両者の相乗効果として、常時良好な切断性能を発揮するペーパー切断機構７を提供でき、延いては該ペーパー切断機構７を備えた上記ペーパーホルダー装置１の商品価値の更なる向上が期待できる。
（ニ）この実施形態のペーパーホルダー装置１におけるペーパー切断機構７では、上記回転刃ユニット７Ａを、上記回転刃７１の刃先円に略合致する外周面７７ａをもつガイド輪７７を備え、上記開閉カバー４の閉状態では上記ガイド輪７７の外周面７７ａに上記固定刃８３の刃先８３ａが接触することで該刃先８３ａの突出量が常時一定に保持されるように構成しているので、該固定刃８３の刃先８３ａと上記回転刃７１の刃先７１ａとの衝突が未然に且つ確実に防止され、これら両者は常時適正な接触圧で接触することとなり、これによって切断性能が長期に亘って良好に維持されるとともに、上記固定刃８３及び回転刃７１の耐久性が高められ、その結果、切断性能と耐久性に優れたペーパー切断機構７を提供でき、延いては該ペーパー切断機構７を備えた上記ペーパーホルダー装置１の商品価値の更なる向上が期待できる。
【符号の説明】
【００６３】
１    ・・ペーパーホルダー装置
２    ・・ホルダー本体部
３    ・・ペーパー受部
４    ・・開閉カバー
５    ・・ペーパー支持機構
６    ・・ペーパー送り機構
７    ・・ペーパー切断機構
７Ａ  ・・回転刃ユニット
７Ｂ  ・・固定刃ユニット
８    ・・ペーパー折畳機構
９    ・・動体感知センサ
１０  ・・ペーパーロール
１１  ・・支持ロール
１２  ・・接近センサ
１５  ・・ロールガイド
１６  ・・湾曲板材
２０  ・・内室
２１  ・・側壁
２２  ・・側部カバー
２３  ・・背面壁
３１  ・・底壁
３２  ・・規制板
３３  ・・周壁
３４  ・・切込部
４１  ・・取付部
４２  ・・バネ（第３の付勢手段）
４３  ・・ビス
５１  ・・駆動ロール
５２  ・・従動ロール
５３  ・・押えロール
７０  ・・支持ブラケット
７１  ・・回転刃
７２  ・・延設部
７３  ・・突起
７４  ・・刃ホルダー
７５  ・・支軸
７６  ・・プロテクター
７７  ・・ガイド輪
７８  ・・ストッパー
７９  ・・受け溝
８０  ・・支持ブラケット
８１  ・・本体部
８２  ・・縦壁部
８３  ・・固定刃
８４  ・・支軸
８５  ・・バネ（第１の付勢手段）
８６  ・・支軸
８７  ・・バネ（第２の付勢手段）
８８  ・・揺動レバー
８９  ・・ガイド突起
９０  ・・嵌合溝
９１  ・・ストッパー
９２  ・・取付ボス
９３  ・・開口部
９５  ・・凹部
【図１】
2012055638.tif 000003
【図２】
2012055638.tif 000004
【図３】
2012055638.tif 000005
【図４】
2012055638.tif 000006
【図５】
2012055638.tif 000007
【図６】
2012055638.tif 000008
【図７】
2012055638.tif 000009
【図８】
2012055638.tif 000010
【図９】
2012055638.tif 000011
【図１０】
2012055638.tif 000012
【図１１】
2012055638.tif 000013
【図１２】
2012055638.tif 000014
【図１３】
2012055638.tif 000015
【図１４】
2012055638.tif 000016